【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
電子写真画像形成装置本体に装着され、電子写真感光体に形成された静電潜像を現像するために現像剤を収容し、この現像剤を前記電子写真感光体へ搬送するための現像剤担持体を備えた現像剤容器と、前記現像剤容器内の現像剤残量を逐次に検知するための複数の現像剤残量検知手段とを有する現像装置において、
前記各現像剤残量検知手段による検出可能な現像剤残量を重複させ、且つ前記各現像剤残量検知手段による検出値にはそれぞれ重み付けを行い、更に、
前記重複期間を複数段階に分け、各段階ごとに徐々に前の前記現像剤残量検知手段の検出値から次の前記現像剤残量検知手段の検出値へと重み付けを移行して行くことを特徴とする現像装置。
【請求項２】
電子写真画像形成装置本体に装着され、電子写真感光体に形成された静電潜像を現像するために現像剤を収容し、この現像剤を前記電子写真感光体へ搬送するための現像剤担持体を備えた現像剤容器と、前記現像剤容器内の現像剤残量を逐次に検知するための複数の現像剤残量検知手段とを有する現像装置において、
前記各現像剤残量検知手段による検出可能な現像剤残量を重複させ、前記重複領域に入った段階で瞬時に検出精度の高い方の前記現像剤残量検知手段による検出値のみを使用することを特徴とする現像装置。
【請求項３】
電子写真画像形成装置本体に装着され、電子写真感光体に形成された静電潜像を現像するために現像剤を収容し、この現像剤を前記電子写真感光体へ搬送するための現像剤担持体を備えた現像剤容器と、前記現像剤容器内の現像剤残量を逐次に検知するための複数の現像剤残量検知手段とを有する現像装置において、
前記各現像剤残量検知手段による検出可能な現像剤残量を重複させ、且つ前記各現像剤残量検知手段による検出値にはそれぞれ重み付けを行い、そして
現像剤を消費するに従って、検知精度が悪化する現像剤残量検知手段の検出値には、現像剤残量を予測する際に現像剤の消費に従って重みを徐々に減少させて行き、
現像剤を消費するに従って、検知精度が良化する現像剤残量検知手段の検出値には、現像剤残量を予測する際に現像剤の消費に従って重みを徐々に増加させて行くことを特徴とする現像装置。
【請求項４】
電子写真画像形成装置本体に装着され、電子写真感光体に形成された静電潜像を現像するために現像剤を収容し、この現像剤を前記電子写真感光体へ搬送するための現像剤担持体を備えた現像剤容器と、前記現像剤容器内の現像剤残量を逐次に検知するための複数の現像剤残量検知手段とを有する現像装置において、
前記各現像剤残量検知手段による検出可能な現像剤残量が重複しておらず、  前記重複していない現像剤残量検出不可能な領域では、検出可能な現像剤量領域が多い方の現像剤残量検知手段の理想的な検出最小値と、検出可能な現像剤量領域が少ない方の現像剤残量検知手段の理想的な検出最大値との平均値、若しくはその近傍値を表示することを特徴とする現像装置。
【請求項５】
電子写真画像形成装置本体に着脱可能なプロセスカートリッジにおいて、
（ａ）電子写真感光体と、
（ｂ）前記電子写真感光体に形成された静電潜像を現像するために現像剤を収容し、この現像剤を前記電子写真感光体へ搬送するための現像剤担持体を備えた現像剤容器を有する現像装置と、
（ｃ）前記現像剤容器内の現像剤残量を逐次に検知するための複数の現像剤残量検知手段と、
を有し、前記各現像剤残量検知手段による検出可能な現像剤残量を重複させ、且つ前記各現像剤残量検知手段による検出値にはそれぞれ重み付けを行い、更に、前記重複期間を複数段階に分け、各段階ごとに徐々に前の前記現像剤残量検知手段の検出値から次の前記現像剤残量検知手段の検出値へと重み付けを移行して行くことを特徴とするプロセスカートリッジ。
【請求項６】
電子写真画像形成装置本体に着脱可能なプロセスカートリッジにおいて、
（ａ）電子写真感光体と、
（ｂ）前記電子写真感光体に形成された静電潜像を現像するために現像剤を収容し、この現像剤を前記電子写真感光体へ搬送するための現像剤担持体を備えた現像剤容器を有する現像装置と、
（ｃ）前記現像剤容器内の現像剤残量を逐次に検知するための複数の現像剤残量検知手段と、
を有し、前記各現像剤残量検知手段による検出可能な現像剤残量を重複させ、前記重複領域に入った段階で瞬時に検出精度の高い方の前記現像剤残量検知手段による検出値のみを使用することを特徴とするプロセスカートリッジ。
【請求項７】
電子写真画像形成装置本体に着脱可能なプロセスカートリッジにおいて、
（ａ）電子写真感光体と、
（ｂ）前記電子写真感光体に形成された静電潜像を現像するために現像剤を収容し、この現像剤を前記電子写真感光体へ搬送するための現像剤担持体を備えた現像剤容器を有する現像装置と、
（ｃ）前記現像剤容器内の現像剤残量を逐次に検知するための複数の現像剤残量検知手段と、
を有し、前記各現像剤残量検知手段による検出可能な現像剤残量を重複させ、且つ前記各現像剤残量検知手段による検出値にはそれぞれ重み付けを行い、そして  現像剤を消費するに従って、検知精度が悪化する現像剤残量検知手段の検出値には、現像剤残量を予測する際に現像剤の消費に従って重みを徐々に減少させて行き、現像剤を消費するに従って、検知精度が良化する現像剤残量検知手段の検出値には、現像剤残量を予測する際に現像剤の消費に従って重みを徐々に増加させて行くことを特徴とするプロセスカートリッジ。
【請求項８】
電子写真画像形成装置本体に着脱可能なプロセスカートリッジにおいて、
（ａ）電子写真感光体と、
（ｂ）前記電子写真感光体に形成された静電潜像を現像するために現像剤を収容し、この現像剤を前記電子写真感光体へ搬送するための現像剤担持体を備えた現像剤容器を有する現像装置と、
（ｃ）前記現像剤容器内の現像剤残量を逐次に検知するための複数の現像剤残量検知手段と、
を有し、前記各現像剤残量検知手段による検出可能な現像剤残量が重複しておらず、前記重複していない現像剤残量検出不可能な領域では、検出可能な現像剤量領域が多い方の現像剤残量検知手段の理想的な検出最小値と、検出可能な現像剤量領域が少ない方の現像剤残量検知手段の理想的な検出最大値との平均値、若しくはその近傍値を表示することを特徴とするプロセスカートリッジ。
【請求項９】
記録媒体に画像を形成するための電子写真画像形成装置において、
（ａ）電子写真感光体と、
（ｂ）前記電子写真感光体に静電潜像を形成するための静電潜像形成手段と、
（ｃ）前記電子写真感光体に形成された静電潜像を現像するために現像剤を収容し、この現像剤を前記電子写真感光体へ搬送するための現像剤担持体を備えた現像剤容器を有する現像装置と、
（ｄ）前記現像剤容器内の現像剤残量を逐次に検知するための複数の現像剤残量検知手段と、
を有し、前記各現像剤残量検知手段による検出可能な現像剤残量を重複させ、且つ前記各現像剤残量検知手段による検出値にはそれぞれ重み付けを行い、更に、前記重複期間を複数段階に分け、各段階ごとに徐々に前の前記現像剤残量検知手段の検出値から次の前記現像剤残量検知手段の検出値へと重み付けを移行して行くことを特徴とする電子写真画像形成装置。
【請求項１０】
プロセスカートリッジを着脱可能であって、記録媒体に画像を形成するための電子写真画像形成装置において、
（ａ）電子写真感光体と、
前記電子写真感光体に形成された静電潜像を現像するために現像剤を収容し、この現像剤を前記電子写真感光体へ搬送するための現像剤担持体を備えた現像剤容器を有する現像装置と、
を有するプロセスカートリッジを取り外し可能に装着するための装着手段と、
（ｂ）前記現像剤容器内の現像剤残量を逐次に検知するための複数の現像剤残量検知手段と、
を有し、前記各現像剤残量検知手段による検出可能な現像剤残量を重複させ、且つ前記各現像剤残量検知手段による検出値にはそれぞれ重み付けを行い、更に、前記重複期間を複数段階に分け、各段階ごとに徐々に前の前記現像剤残量検知手段の検出値から次の前記現像剤残量検知手段の検出値へと重み付けを移行して行くことを特徴とする電子写真画像形成装置。
【請求項１１】
記録媒体に画像を形成するための電子写真画像形成装置において、
（ａ）電子写真感光体と、
（ｂ）前記電子写真感光体に静電潜像を形成するための静電潜像形成手段と、
（ｃ）前記電子写真感光体に形成された静電潜像を現像するために現像剤を収容し、この現像剤を前記電子写真感光体へ搬送するための現像剤担持体を備えた現像剤容器を有する現像装置と、
（ｄ）前記現像剤容器内の現像剤残量を逐次に検知するための複数の現像剤残量検知手段と、
を有し、前記各現像剤残量検知手段による検出可能な現像剤残量を重複させ、前記重複領域に入った段階で瞬時に検出精度の高い方の前記現像剤残量検知手段による検出値のみを使用することを特徴とする電子写真画像形成装置。
【請求項１２】
プロセスカートリッジを着脱可能であって、記録媒体に画像を形成するための電子写真画像形成装置において、
（ａ）電子写真感光体と、
前記電子写真感光体に形成された静電潜像を現像するために現像剤を収容し、この現像剤を前記電子写真感光体へ搬送するための現像剤担持体を備えた現像剤容器を有する現像装置と、
を有するプロセスカートリッジを取り外し可能に装着するための装着手段と、
（ｂ）前記現像剤容器内の現像剤残量を逐次に検知するための複数の現像剤残量検知手段と、
を有し、前記各現像剤残量検知手段による検出可能な現像剤残量を重複させ、前記重複領域に入った段階で瞬時に検出精度の高い方の前記現像剤残量検知手段による検出値のみを使用することを特徴とする電子写真画像形成装置。
【請求項１３】
記録媒体に画像を形成するための電子写真画像形成装置において、
（ａ）電子写真感光体と、
（ｂ）前記電子写真感光体に静電潜像を形成するための静電潜像形成手段と、
（ｃ）前記電子写真感光体に形成された静電潜像を現像するために現像剤を収容し、この現像剤を前記電子写真感光体へ搬送するための現像剤担持体を備えた現像剤容器を有する現像装置と、
（ｄ）前記現像剤容器内の現像剤残量を逐次に検知するための複数の現像剤残量検知手段と、
を有し、前記各現像剤残量検知手段による検出可能な現像剤残量を重複させ、且つ前記各現像剤残量検知手段による検出値にはそれぞれ重み付けを行い、そして  現像剤を消費するに従って、検知精度が悪化する現像剤残量検知手段の検出値には、現像剤残量を予測する際に現像剤の消費に従って重みを徐々に減少させて行き、現像剤を消費するに従って、検知精度が良化する現像剤残量検知手段の検出値には、現像剤残量を予測する際に現像剤の消費に従って重みを徐々に増加させて行くことを特徴とする電子写真画像形成装置。
【請求項１４】
プロセスカートリッジを着脱可能であって、記録媒体に画像を形成するための電子写真画像形成装置において、
（ａ）電子写真感光体と、
前記電子写真感光体に形成された静電潜像を現像するために現像剤を収容し、この現像剤を前記電子写真感光体へ搬送するための現像剤担持体を備えた現像剤容器を有する現像装置と、
を有するプロセスカートリッジを取り外し可能に装着するための装着手段と、
（ｂ）前記現像剤容器内の現像剤残量を逐次に検知するための複数の現像剤残量検知手段と、
を有し、前記各現像剤残量検知手段による検出可能な現像剤残量を重複させ、且つ前記各現像剤残量検知手段による検出値にはそれぞれ重み付けを行い、そして  現像剤を消費するに従って、検知精度が悪化する現像剤残量検知手段の検出値には、現像剤残量を予測する際に現像剤の消費に従って重みを徐々に減少させて行き、現像剤を消費するに従って、検知精度が良化する現像剤残量検知手段の検出値には、現像剤残量を予測する際に現像剤の消費に従って重みを徐々に増加させて行くことを特徴とする電子写真画像形成装置。
【請求項１５】
記録媒体に画像を形成するための電子写真画像形成装置において、
（ａ）電子写真感光体と、
（ｂ）前記電子写真感光体に静電潜像を形成するための静電潜像形成手段と、
（ｃ）前記電子写真感光体に形成された静電潜像を現像するために現像剤を収容し、この現像剤を前記電子写真感光体へ搬送するための現像剤担持体を備えた現像剤容器を有する現像装置と、
（ｄ）前記現像剤容器内の現像剤残量を逐次に検知するための複数の現像剤残量検知手段と、
を有し、前記各現像剤残量検知手段による検出可能な現像剤残量が重複しておらず、前記重複していない現像剤残量検出不可能な領域では、検出可能な現像剤量領域が多い方の現像剤残量検知手段の理想的な検出最小値と、検出可能な現像剤量領域が少ない方の現像剤残量検知手段の理想的な検出最大値との平均値、若しくはその近傍値を表示することを特徴とする電子写真画像形成装置。
【請求項１６】
プロセスカートリッジを着脱可能であって、記録媒体に画像を形成するための電子写真画像形成装置において、
（ａ）電子写真感光体と、
前記電子写真感光体に形成された静電潜像を現像するために現像剤を収容し、この現像剤を前記電子写真感光体へ搬送するための現像剤担持体を備えた現像剤容器を有する現像装置と、
を有するプロセスカートリッジを取り外し可能に装着するための装着手段と、
（ｂ）前記現像剤容器内の現像剤残量を逐次に検知するための複数の現像剤残量検知手段と、
を有し、前記各現像剤残量検知手段による検出可能な現像剤残量が重複しておらず、前記重複していない現像剤残量検出不可能な領域では、検出可能な現像剤量領域が多い方の現像剤残量検知手段の理想的な検出最小値と、検出可能な現像剤量領域が少ない方の現像剤残量検知手段の理想的な検出最大値との平均値、若しくはその近傍値を表示することを特徴とする電子写真画像形成装置。
【手続補正２】
【補正対象書類名】明細書
【補正対象項目名】００５１
【補正方法】削除
【補正の内容】
【手続補正３】
【補正対象書類名】明細書
【補正対象項目名】００５２
【補正方法】削除
【補正の内容】
【手続補正４】
【補正対象書類名】明細書
【補正対象項目名】００５３
【補正方法】削除
【補正の内容】
【手続補正５】
【補正対象書類名】明細書
【補正対象項目名】００５４
【補正方法】削除
【補正の内容】